(57)【要約】【課題】一般人が容易に、正確に、また、継ぎ目のパンクの無い貼り付けの出きる壁紙を提供すること。【解決手段】紙を下地２として樹脂層３を積層させてなる壁紙１の下地２の全面に水性糊層４を設け、前記壁紙１の長手方向の両側部の少なくとも一側部１Ａにおいて、該一側部１Ａの側縁から内側の６０ｍｍの間において、３０ｍｍ〜６０ｍｍの幅の難切断部材５を、その壁紙１の長手方向に沿って設け、該難切断部材５の上から前記壁紙１の全体を覆う薄利自在のラップシート６で被覆してある。【選択図】      図２
2006241962.tif 000002
【特許請求の範囲】
【請求項１】
紙を下地２として樹脂層３を積層させてなる壁紙１の下地２の全面に水性糊層４を設け、
前記壁紙１の長手方向の両側部の少なくとも一側部１Ａにおいて、該一側部１Ａの側縁から内側の６０ｍｍの間において、３０ｍｍ〜６０ｍｍの幅の難切断部材５を、その壁紙１の長手方向に沿って設け、
該難切断部材５の上から前記壁紙１の全体を覆う薄利自在のラップシート６で被覆してある、
糊付き壁紙。
【請求項２】
前記壁紙１の両側部１Ａ、１Ｂに所定幅の乾燥防止テープ７を、前記水性糊層４とラップシート６との間で、該壁紙１の長手方向に沿って薄利自在に設けてある、
請求項１の糊付き壁紙。
【請求項３】
前記難切断部材５が、３０〜５０ｍｍ幅に構成され、その外側縁に乾燥防止テープ７が一体的に設けられている、
請求項１又は請求項２の糊付き壁紙。
【請求項４】
前記壁紙１が所定の長さでロール巻きに構成されている、
請求項１乃至請求項３の何れか１項の糊付き壁紙。
【発明の詳細な説明】
【技術分野】
【０００１】  本発明は、室内の壁面等に貼って用いる壁紙（クロス）に関する。
【背景技術】
【０００２】  一般に、室内壁面等の化粧として、化粧板を用いる他に、壁紙を貼る方法が多用されている。ここにいう壁紙とは、古くから用いられている１枚の紙（パルプ）の他に、最近においては、クロスと呼ばれる、布を用いたもの、ビニール（塩ビ）を用いたビニールクロス等が主流となっている。【０００３】  こうした壁紙は、通常、施工現場において、専門職人によって貼られる。この際、壁面等に向かって、右側から順次貼って行き、その左端の繋ぎの部分では、新たな壁紙の右端を重ね、カッターナイフ等で重ね切りをすることで、正確な接合端部を形成するのである。【０００４】  この重ね切りの際、専門職人であっても、カッターナイフの切り込みを、丁度２枚の壁紙を切り離す深さに抑えることは難しく、その下地を傷つけていたのである。この下地は、元々は壁面材（板、樹脂パネル、コンクリート等）そのものであるが、通常、壁紙は、古いものを剥がして上に張り替えて行くのが普通であり、その際、表面のクロス（ビニール素材等）を剥がすと、ベースの下地の紙が残っており、従って、この前回貼られた紙の下地を損傷することになる。【０００５】  その結果、この下地の紙が切り込まれた箇所に微小隙間が形成され、新たな壁紙の突合せ接合部が、確実に下地に接着できず、ここでパンクし、剥がれを来たすという問題があり、これを解消するために、上述の重ね切りに際して、下側に切断抵抗を増すための手段、例えば、下敷きテープを当てがい、カッターナイフがここで止まるようにする方法が提案されている。【０００６】  この下敷きテープは、種々のものが提案されているが、専門職人が、現場において、壁紙の側縁から所定の距離離れた位置に来るように配置しており、この際、上記重ね切りの重ね代がどの程度の長さとし、下敷きテープをどの位置に配置するかは、経験によって判断される。【０００７】  この際、下地の紙と積層したビニール層との端部にミミと呼ばれる切捨て部が存在するので、こうした長さも配慮されて、上述した下敷きテープの位置が採られる。この重ね切りに所定の余分な重ね代を確保するのは、切断に際して切り損じ（曲がりや、切断位置目測の誤り）を未然に回避するためである。【０００８】  こうした従来技術は、次の文献により示されている。
【特許文献１】特開２００４−３４６６１０。クロス切断用下地テープ。
【特許文献２】特開平８−２９６３２１。見切り材。
【特許文献３】特開２００４−１９４１１。クロス切断用下地テープ。
【発明の開示】
【発明が解決しようとする課題】
【０００９】  本発明者は、こうした壁紙の貼り付けを、一般人でも容易に行うことが出来るようにしようと考えたが、専門職人が現場で経験に基づいて行っていた、重ね切りの重ね代の取り方、所定位置への下敷きテープの敷設を工夫すると同時に、糊付けを予め行った状態で壁紙を搬送し、展示販売することになるため、糊の乾燥が進行する虞があり、この壁紙をロール状に巻いておいた場合には、特に両側縁での乾きの進行が顕著となるという、新たな問題も生じる。【００１０】  本発明は、かかる現状に鑑み、一般人が容易に、正確に、また、継ぎ目のパンクの無い貼り付けの出きる壁紙を提供することを目的とする。
【課題を解決するための手段】
【００１１】  本発明にかかる糊付き壁紙は、上記目的を達成するために、紙を下地２として樹脂層３を積層させてなる壁紙１の下地２の全面に水性糊層４を設け、前記壁紙１の長手方向の両側部の少なくとも一側部１Ａにおいて、該一側部１Ａの側縁から内側の６０ｍｍの間において、３０ｍｍ〜６０ｍｍの幅の難切断部材５を、その壁紙１の長手方向に沿って設け、該難切断部材５の上から前記壁紙１の全体を覆う薄利自在のラップシート６で被覆してある、という手段を講じたものである。【００１２】  本発明に言う壁紙とは、単なる紙材の他、下地に紙を用いて樹脂、塩ビ等を積層させたクロス、また、布を併用したもの等、既存の全ての形態のものを含む。
【発明の効果】
【００１３】  本発明によれば、壁紙の貼り付けにおいて、一般人が店頭（或いは通販で）で、所用の長さのものを購入して、自ら、容易に、切り損じなく正確に、また、継ぎ目のパンクの無い貼り付けが出来る。
また、予め水性糊が塗布されているが、その乾燥も防止できるので、接着効果が低下することなく、貼り付けが出来る。
【発明を実施するための最良の形態】
【００１４】  本発明の実施において、前記壁紙１の両側部１Ａ、１Ｂに所定幅の乾燥防止テープ７を、前記水性糊層４とラップシート６との間で、該壁紙１の長手方向に沿って薄利自在に設けてあるのが好ましい。
これによって、壁紙１の端部において、ラップシート６と下地２との間が側方に露出され、水性糊層４が外気に晒されて乾燥され易くなるのを、前記ラップシート６と乾燥防止テープ７とによってより一層確実に防止できる。【００１５】  また、前記難切断部材５が、３０〜５０ｍｍ幅に構成され、その外側縁に乾燥防止テープ７が一体的に設けられているのが好ましい。
この場合、前記難切断部材５の敷設と同時に乾燥防止テープ７も敷設できるので、敷設の手数が省けて良い。【００１６】  更に、前記壁紙１が所定の長さでロール巻きに構成されているのが好ましい。
この形態を採ることで、壁紙１の全体を重ねて、水生糊の乾燥を最少限に抑えることが出来ると共に型崩れをし難くして且つ搬送上の嵩を小さく出来る。
【実施例】
【００１７】  図１及び図２に示すように、既存の紙（パルプ）を下地２として樹脂層３、ここでは、塩ビシートを積層させて壁紙１を構成さている。
この壁紙１の下地２の全面に水性糊層４、ここでは、澱粉のりを塗布してある。この水性糊層４の塗布は、既存のロール転写方式を用いて行う。【００１８】  そして、前記壁紙１の長手方向の両側部の少なくとも一側部１Ａ、ここでは、壁紙１の裏面側を正面として見た場合に、右側の一側部１Ａの側縁から内側の６０ｍｍの間において、５０ｍｍの幅の難切断部材５を、その壁紙１の長手方向に沿って設けてある。この難切断部材５の敷設は、先の水生糊層４を塗布する工程と同時に行う。この難切断部材５としては、柔軟な厚紙、厚手の樹脂シート或いは、切断抵抗を増大させる工夫がなされた公知の下敷きテープを用いることができる。【００１９】  更に、前記難切断部材５の上から前記壁紙１の全体を覆う薄利自在の透明のラップシート６、ここでは、ＰＰフィルムで被覆してある。このラップシート６の敷設も、前記水性糊層４の塗布工程と同時に行われる。
このラップシート６は、貼り付けに際して剥離される。【００２０】  また、前記壁紙１の両側部１Ａ、１Ｂに所定幅の乾燥防止テープ７、（同様の合成樹脂フィルムで構成）を、前記水性糊層４とラップシート６との間で、該壁紙１の長手方向に沿って薄利自在に設けてある。この乾燥防止テープ７の敷設も、上記の水性糊層４の塗布工程と同時に行われる。このテープ７は、カラー、例えば、オレンジ色に着色されたものが用いられている。【００２１】  そして、出来上がった壁紙１は、ロール状に巻き取られて所定長さで切断される。その長さは、３ｍ，５ｍ，７ｍ或いは１０ｍと適宜の寸法を採ることができる。また、必要に応じて、店頭において、所定の長さで切り売りすることも可能である。
尚、図３に示すように、前記難切断部材５が、３０〜５０ｍｍ幅に構成され、これを包み込むと共に、その外側縁に乾燥防止テープ７が一体的に設けられ、全体として６０ｍｍの幅になるように構成されていてもよい。【００２２】  このように構成された壁紙１の端部の重ね切りを説明すると、図４に示すように、貼り終わった壁紙１の右端（裏面側から見たとき）を下にして、壁の下地（先の壁紙の剥離で残ったもの）に、前記前記難切断部材５が位置され、この壁紙１の上に次の壁紙１の左端が重複状態で載せられる。この際、次の壁紙１のラップシート６は除去されている。この際、ミミと呼ばれる不使用部（５ｍｍから１０ｍｍ前後）を含めて、５０ｍｍに設定された前記難切断部材５が、２枚の壁紙１の重複位置における切断予定位置を充分な幅でカバーしている。【００２３】  この状態で、カッターナイフを入れて切断を行うと、２枚の壁紙１を切断した先の下に前記難切断部材５が位置していて、ここで刃の先の侵入が止まり、上述した下地を傷つけずに済み、結果として、この部分における両壁紙１の突き合わせ接合部分におけるパンク（剥離）が未然に防止されるのである。【００２４】  切断工程完了後は、一旦、両壁紙１の端部を持ち上げ、内側にある前記難切断部材５の除去（合わせて、切れ端に付いた乾燥防止テープ７）を行い、しかる後に両端を突き合わせて貼り付けるのである。
【産業上の利用分野】
【００２５】  本発明にかかる糊付き壁紙は、それ自体、貼り付け可能な状態となっているので、一般人であっても、入手次第、直ちに貼り付け作業が可能であり、従って、専門職人のいない地方であっても、誰でも、用意に、且つ、必要な箇所に貼り付けが可能であり、その適用範囲は広いものである。
【図面の簡単な説明】
【００２６】
【図１】実施例における壁紙の裏面正面図。
【図２】実施例における壁紙の要部の斜視図。
【図３】実施例における難切断材の別態様を示す斜視図。
【図４】実施例における一作業工程を示す要部の縦断側面図。
【図５】実施例における一作業工程を示す要部の縦断側面図。
【符号の説明】
【００２７】１：壁紙
１Ａ：一側部
１Ｂ：他側部
２：下地
３：樹脂層
４：水性糊層
５：難切断部材
６：ラップシート
７：乾燥防止テープ
【図１】
2006241962.tif 000003
【図２】
2006241962.tif 000004
【図３】
2006241962.tif 000005
【図４】
2006241962.tif 000006
【図５】
2006241962.tif 000007